(57)【特許請求の範囲】
【請求項１】
互いに対向する前胴周り域および後胴周り域と、それら胴周り域の間に位置する股下域とを備え、前記前後胴周り域の両側縁部が連結されて胴周り開口と一対の脚周り開口とが画成されたパンツ型の使い捨て着用物品において、
前記物品が、前記前後胴周り域の連結されている両側縁部の間に位置する前記前後胴周り域の胴周り方向中央部から前記股下域の幅方向中央部へ向って延びる線によって折曲され、前記線によって区分された前記前後胴周り域それぞれにおける前記物品の左半分と右半分との内面が互いに当接した状態に畳まれていることを特徴とする前記物品。
【請求項２】
前記股下域の幅方向中央部が、前記物品の右半分と左半分との間に介在するように、前記胴周り開口の側へ向って前記物品の内側へ折り込まれている請求項１記載の物品。
【請求項３】
前記物品が、連結された前記両側縁部において折曲されて、前記物品の左半分と右半分とのいずれか一方の外面が互いに当接した状態に畳まれている請求項１または２記載の物品。
【発明の詳細な説明】
【０００１】
【発明の属する技術分野】
本発明は、パンツ型の使い捨ておむつやトレーニングパンツ、失禁パンツ等のパンツ型の使い捨て着用物品に関する。
【０００２】
【従来の技術】
特開平１１−１１３９５６号公報は、胴周り開口と一対の脚周り開口とを有するパンツの前後胴周り域の両側縁部が、パンツの外面に重なるように前後胴周り域の胴周り方向中央部へ向って折曲され、パンツの股下域が前後胴周り域のいずれか一方の外面に重なるように折曲された使い捨てパンツの折り畳み構造を開示している。
【０００３】
【発明が解決しようとする課題】
同号公報に開示のパンツは、折り畳まれた状態が続くと、前後胴周り域の両側縁部にパンツの縦方向へ延びる折り目が付くとともに、股下域にパンツの横方向へ延びる折り目が付いてしまう。このパンツでは、前後胴周り域の両側縁部と股下域とを折り返してパンツを着用しようとしても、それら折り目が胴周り開口と脚周り開口とを閉じようとするので、胴周り開口と脚周り開口とを開き難く、パンツの着用に手間取ることがある。
【０００４】
本発明の課題は、胴周り開口と脚周り開口とを容易に開くことができ、着用に手間取ることがないように畳まれたパンツ型の使い捨て着用物品を提供することにある。
【０００５】
【課題を解決するための手段】
前述した課題を解決するための本発明は、互いに対向する前胴周り域および後胴周り域と、それら胴周り域の間に位置する股下域とを備え、前記前後胴周り域の両側縁部が連結されて胴周り開口と一対の脚周り開口とが画成されたパンツ型の使い捨て着用物品を改良することにある。
【０００６】
改良にかかる本発明の特徴は、前記物品が、前記前後胴周り域の連結されている両側縁部の間に位置する前記前後胴周り域の胴周り方向中央部から前記股下域の幅方向中央部へ向って延びる線によって折曲され、前記線によって区分された前記前後胴周り域それぞれにおける前記物品の左半分と右半分との内面が互いに当接した状態に畳まれていることにある。
【０００７】
本発明の実施の態様の一例としては、前記股下域の幅方向中央部が、前記物品の右半分と左半分との間に介在するように、前記胴周り開口の側へ向って前記物品の内側へ折り込まれている。
【０００８】
本発明の実施の態様の他の一例としては、前記物品が、連結された前記両側縁部において折曲されて、前記物品の左半分と右半分とのいずれか一方の外面が互いに当接した状態に畳まれている。
【０００９】
【発明の実施の形態】
添付の図面を参照し、本発明に係るパンツ型の使い捨て着用物品の詳細をパンツ型の使い捨ておむつを例として説明すると、以下のとおりである。
【００１０】
図１，２は、前胴周り域５の側から示す使い捨ておむつ１の部分破断斜視図と、折り畳まれた状態で示す図１のおむつ１の斜視図とである。おむつ１では、それを着用した着用者を基準とし、線１６を中心として着用者の左側に位置するおむつ１の部分を左半分Ｌといい、着用者の右側に位置するおむつ１の部分を右半分Ｒという。
【００１１】
おむつ１は、透液性表面シート２と、不透液性裏面シート３と、それらシート２，３の間に介在し、全体が透水性のティッシュペーパー（図示せず）に被覆、接合された吸液性コア４とを主要な構成部材とする。コア４は、ティッシュペーパーを介して表面シート２と裏面シート３との少なくとも一方に接合されている。
【００１２】
おむつ１は、互いに対向する前胴周り域５および後胴周り域７と、前後胴周り域５，７の間に位置する股下域６とを有する。おむつ１では、前後胴周り域５，７の縦方向へ延びる両側縁部８が合掌状に重なり合った状態で連結され、胴周り開口９と一対の脚周り開口１０とが画成されている。
【００１３】
胴周り開口９の縁部には、胴周り方向へ延びる複数条の胴周り用弾性伸縮性部材１１が表面シート２と裏面シート３との間に介在し、それらシート２，３の少なくとも一方に伸長状態で取り付けられている。脚周り開口１０の縁部には、脚周り方向へ延びる複数条の脚周り用弾性伸縮性部材１２が表面シート２と裏面シート３との間に介在し、それらシート２，３の少なくとも一方に伸長状態で取り付けられている。図１では、弾性部材１１，１２各々が収縮し、胴周り開口９と脚周り開口１０との縁部に沿って多数のギャザーが形成されている。
【００１４】
おむつ１には、股下域６の幅方向中央部１４から連結された両側縁部８の間に位置する前後胴周り域５，７の胴周り方向中央部１３，１５へ向って仮想線で示す線１６が延びている。おむつ１は、図１の状態から線１６において折曲されると、線１６によって区分された前後胴周り域５，７それぞれにおけるおむつ１の左半分Ｌと右半分Ｒとが矢印Ａ１で示す横方向内方へ向って近づく。おむつ１は、図２に示すように、前胴周り域５の左半分Ｌと右半分Ｒとの内面が互いに当接し、後胴周り域７の左半分Ｌと右半分Ｒとの内面が互いに当接した状態に畳まれる。
【００１５】
おむつ１では、線１６において折り目が付いたとしても、おむつ１の両側縁部８を摘持して、両側縁部８を図２に矢印Ａ２で示すおむつ１の横方向外方へ引っ張り、左半分Ｌと右半分Ｒとを離間させることで、胴周り開口９を簡単に開くことができる。また、おむつ１では、脚周り開口１０がその口を開けたままの状態で畳まれているので、脚周り開口１０を開くことはなく、そのまま着用することができる。
【００１６】
図３は、図２のおむつ１をさらに畳んだ状態で示すおむつ１の斜視図であり、図２の状態にあるときの前胴周り域５の側を仮想線で示す。おむつ１は、その両側縁部８において、前胴周り域５の側が矢印Ａ３で示す後胴周り域７の側へ折曲され、左半分Ｌの外面が互いに当接した状態に畳まれている。おむつ１は、図２のそれよりも一層コンパクトにすることができる。
【００１７】
図４は、図２のおむつ１をさらに畳んだ状態で示すおむつ１の部分破断斜視図であり、股下域６の一部が破断されている。図４では、図２の状態にあるときの股下域６を仮想線で示す。おむつ１は、股下域６の幅方向中央部１４が左半分Ｌと右半分Ｒとの間に介在するように、矢印Ａ４で示す胴周り開口９の側へ向っておむつ１の内側へ折り込まれている。
【００１８】
おむつ１は、幅方向中央部１４が胴周り開口９の側へ凸となり、図２のそれよりも一層コンパクトにすることができる。おむつ１では、その両側縁部８を横方向外方へ引っ張って左半分Ｌと右半分Ｒとを離間させると、股下域６の幅方向中央部１４が矢印Ａ５で示す横方向外方へ展開する。おむつ１では、幅方向中央部１４が展開することで、股下域６が前後胴周り域５，７に対して略直交するように延び、おむつ１の内部に空間が形成される。このおむつ１では、胴周り開口９から脚周り開口１０へ向って脚を通すことが容易である。
【００１９】
図５は、図４のおむつ１をさらに畳んだ状態で示すおむつ１の斜視図であり、図４の状態にあるときの前胴周り域５の側を仮想線で示す。おむつ１は、その両側縁部８において、前胴周り域５の側が矢印Ａ６で示す後胴周り域７の側へ折曲され、左半分Ｌの外面が互いに当接した状態に畳まれている。おむつ１は、図４のそれよりも一層コンパクトにすることができる。
【００２０】
それら図示例のおむつ１は、個別に袋に収納されたり、多数のおむつ１を積み重ねた状態でパッケージに収納される。
【００２１】
表面シート２には、不織布や開孔プラスチックフィルム等の透液性のシート、好ましくは透液性であって親水性のシートを使用することができる。裏面シート３には、疎水性不織布、不透液性のプラスチックフィルムまたは疎水性不織布とプラスチックフィルムとのラミネートシート、好ましくは通気不透液性のシートを使用することができる。また、裏面シートとしては、高い耐水性を有するメルトブローン不織布を、高い強度を有しかつ柔軟性に富んだスパンボンド不織布で挟んだ複合不織布を使用することもできる。
【００２２】
不織布としては、スパンレース、ニードルパンチ、メルトブローン、サーマルボンド、スパンポンド、ケミカルボンド、エアースルー等の各製法により製造された不織布を使用することができる。不織布の構成繊維としては、ポリオレフィン系、ポリエステル系、ポリアミド系、の各繊維、ポリエチレン／ポリプロピレンやポリエチレン／ポリエステル等で形成された芯鞘型複合繊維、サイドバイサイド型複合繊維を使用することができる。
【００２３】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００２４】
表裏面シート２，３の固着、コア４の接合、弾性部材１１，１２の取り付けには、ホットメルト型接着剤、または、ソニックシールやヒートシール等の熱溶着の技術を利用することができる。
【００２５】
この発明は、パンツ型の使い捨ておむつの他に、トレーニングパンツや失禁パンツにも実施することができる。
【００２６】
【発明の効果】
本発明に係るパンツ型の使い捨て着用物品によれば、物品が線によって折曲され、線によって区分された物品の左半分と右半分との内面が互いに当接した状態に畳まれているので、線において折り目が付いたとしても、物品の両側縁部を摘持して、該両側縁部を横方向外方へ引っ張ることにより、胴周り開口を簡単に開けることができ、着用に手間取ることはない。
【００２７】
線によって折曲された物品をさらに両側縁部において折曲し、物品の左半分と右半分とのいずれかの外面が当接した状態に畳まれた物品では、物品を一層コンパクトにすることができる。
【００２８】
線によって折曲された物品であって、股下域の幅方向中央部が胴周り開口の側へ向って物品の内側へ折り込まれた物品では、物品を一層コンパクトにすることができるとともに、それを着用するときに、物品の内部に空間が形成されるので、胴周り開口から脚周り開口へ向って脚を通すことが容易である。
【００２９】
股下域の幅方向中央部が胴周り開口の側へ向って折り込まれた物品をさらに両側縁部において折曲し、物品の左半分と右半分とのいずれかの外面が当接した状態に畳まれた物品では、物品をさらにコンパクトにすることができる。
【図面の簡単な説明】
【図１】  使い捨ておむつの部分破断斜視図。
【図２】  折り畳まれた状態で示す図１のおむつの斜視図。
【図３】  図２のおむつをさらに畳んだ状態で示すおむつの斜視図。
【図４】  図２のおむつをさらに畳んだ状態で示すおむつの斜視図。
【図５】図４のおむつをさらに畳んだ状態で示すおむつの斜視図。
【符号の説明】
１            パンツ型の使い捨ておむつ（パンツ型の使い捨て着用物品）
５            前胴周り域
６            股下域
７            後胴周り域
８            両側縁部
９            胴周り開口
１０            脚周り開口
１３            胴周り方向中央部
１４            幅方向中央部
１５            胴周り方向中央部
１６            線
Ｌ            左半分
Ｒ            右半分
【図１】
0003706530.tif 000002
【図２】
0003706530.tif 000003
【図３】
0003706530.tif 000004
【図４】
0003706530.tif 000005
【図５】
0003706530.tif 000006